(57)【特許請求の範囲】
【請求項１】
複数のティース部を有し、隣接するティース部の間にスロットを形成してなる積層された鉄心と、上記ティース部に絶縁部材を介して巻装された巻線とを有する回転電機において、上記鉄心のティース部は、スロット壁面部の少なくとも一方に凹部を有してなり、上記絶縁部材は、少なくとも上記ティース部の積層方向一端面及びこの一端面から連なる上記スロット壁面部の凹部に跨るように形成され、上記凹部側の端部に、該凹部に進入して係止される断面略クランク状に屈曲形成された係合部及びこの係合部から上記凹部内をティース部の積層方向他端面方向に延在し、スロットに面して形成された重合部を有する第１の絶縁成形体と、上記ティース部の積層方向他端面側に配設され、該他端面とこの他端面から連なる上記スロット壁面部の凹部に跨るように形成され、この凹部側の端部が上記第１の絶縁成形体の重合部に重合する第２の絶縁成形体とを備え、上記凹部の積層方向の位置を上記ティース部の中央部よりも他端面側に寄せて設けることを特徴とする回転電機。
【請求項２】
ティース部断面積に対する凹部断面積が２０％以下であることを特徴とする請求項１記載の回転電機。
【請求項３】
第１の絶縁成形体、及び第２の絶縁成形体の何れか一方に巻線を係止し得る係止部を備えていることを特徴とする請求項１又は２に記載の回転電機。
【請求項４】
複数のティース部を有し、隣接するティース部の間にスロットを形成してなる積層された鉄心と、上記ティース部に絶縁部材を介して巻装された巻線とを有する回転電機において、
上記絶縁部材は、
スロット底部及び隣接するティース部の各スロット側面部を覆うと共に、積層方向の一端部側にティース部の積層方向一端面に係合し得るかえし部を有し、積層方向の他端部側に係合部を有するフィルム状の第１の絶縁成形体と、
ティース部の積層方向他端面を絶縁すると共に、上記第１の絶縁成形体の係合部と係合し、絶縁樹脂の成形品である第２の絶縁成形体とを有し、
上記ティース部の上記積層方向一端面は露出し、上記かえし部と上記第２の絶縁成形体に巻装された上記巻線と上記ティース部の積層方向一端面の間に間隙が形成されている
ことを特徴とする回転電機。
【請求項５】
第２の絶縁成形体に巻線を係止し得る係止部を備えていることを特徴とする請求項４に記載の回転電機。
【請求項６】
請求項１ないし請求項５の何れかに記載の回転電機を搭載してなることを特徴とする密閉型圧縮機
【発明の詳細な説明】
【０００１】
【発明の属する技術分野】
本発明は、例えば空調機や冷凍機を用途とする圧縮機駆動用の電動機などとして好ましく用いられる回転電機、及びそれを電動機として用いた密閉型圧縮機に関するものである。
【０００２】
【従来の技術】
図１３は例えば特開平１１−４１８４９号公報などに示された従来の回転電機としての電動機を示す部分断面側面図、図１４は上記従来の電動機の固定子鉄心のティース部に用いられている絶縁部材を示す側断面図である。図において、１はリング状の固定子を構成する鉄心、２はティース部で、鉄心１に円周方向に等間隔で、かつ放射状に内側に複数突出するように形成されている。３は絶縁部材であるインシュレータ、４は巻線であり、該巻線４は各ティース部２にインシュレータ３を装着固定した後、それぞれ巻回されている。５は回転軸、６はこの回転軸５を回転自在に支承する軸受、７は回転軸５に固着され、回転軸５と一体的に回転する回転子である。
【０００３】
次に、上記インシュレータ３の構造について説明する。図１４において、３１は負荷側インシュレータ３ａの薄肉凸部、３２は反負荷側インシュレータ３ｂの薄肉凹部である。このように構成されたインシュレータ３を、薄肉凹部３２に薄肉凸部３１を嵌め込むことで図１３に示すように鉄心１のティース部２に固定している。３３はインシュレータ３の筒状体部で、ここに巻線４が巻装される。鉄心１は電磁鋼鈑を積層した構造であり、積層厚みがばらついていてもインシュレータ３の薄肉凸部３１と薄肉凹部３２との重複幅で調整され、巻線４が鉄心１のティース部２と接触しないようになっている。
【０００４】
図１５は例えば実開平３−４５０４９号公報に示された従来の電動機固定子の他の絶縁構造例を示す構成図である。図において、８は断面が鉄心１のティース部２の間隙であるスロット１０に挿入されるインシュレータスロットであり、ポリサレフォンなどの絶縁材料を用い、押し出し成形により造られている。９はつば付きインシュレータで、ポリフェニレンサルファイド（ＰＰＳ）などが用いられ、外周の形状は鉄心１の外周と同一形状になっている。つば付きインシュレータ９の一面側には外周に沿ってつば９１が形成されているため、前記インシュレータスロット８を嵌合した上でつば９１によって鉄心１端面につば付きインシュレータ９を固定することができるため、作業性が良い。なお、９２は図示しない巻線の渡り線を係止するためのかえしである。
【０００５】
【発明が解決しようとする課題】
従来の回転電機である電動機は以上のように構成されており、特開平１１−４１８４９号公報に示された従来の電動機では、絶縁部材であるインシュレータ３に機械強度の弱い薄肉凸部３１と薄肉凹部３２が存在するために、インシュレータ３の輸送時に薄肉凸部３１や薄肉凹部３２が割れてしまったり、凸部と凹部を嵌めこむ時に干渉して割れてしまい、絶縁耐力の低下といった品質低下を生じることとなるので、品質維持のための余分なチェックを必要とするという問題があった。また、薄肉部の強度確保のために肉厚を増やすと、薄肉部の重合部はさらに厚くなって、スロットの面積が小さくなり、巻線できる線径が小さくなって効率向上の妨げになってしまうという問題があった。
【０００６】
また、実開平３−４５０４９号公報に示された従来の電動機では、つば付きインシュレータ９の外周形状は鉄心１の外周と同一形状であるが、片面には外周とスロット１０に沿ってつば９１が形成されていて、つば９１によって鉄心１の端面に固定しているために、スロット面積が小さくなるという問題があった。
【０００７】
この発明は上記のような従来技術の問題点を解消するためになされたもので、絶縁部材の取扱が容易で、スロット面積の狭小化を招くことのない高品質な回転電機を提供することを目的としている。
【０００８】
【課題を解決するための手段】
【０００９】
【００１０】
【００１１】
さらに、鉄心のティース部は、スロット壁面部の少なくとも一方に凹部を有してなり、絶縁部材は、少なくともティース部の積層方向一端面及びこの一端面から連なるスロット壁面部の凹部に跨るように形成され、凹部側の端部に、凹部に進入して係止される断面略クランク状に屈曲形成された係合部及びこの係合部から凹部内をティース部の積層方向他端面方向に延在し、スロットに面して形成された重合部を有する第１の絶縁成形体と、ティース部の積層方向他端面側に配設され、他端面とこの他端面から連なる上記スロット壁面部の凹部に跨るように形成され、この凹部側の端部が第１の絶縁成形体の重合部に重合する第２の絶縁成形体とを備え、凹部の積層方向の位置をティース部の中央部よりも他端面側に寄せて設けるものである。
【００１２】
また、ティース部断面積に対する凹部断面積を２０％以下としたものである。
【００１３】
また、第１の絶縁成形体、及び第２の絶縁成形体の何れか一方に巻線を係止し得る係止部を備えたことを特徴とするものである。
【００１４】
さらにまた、絶縁部材として、スロット底部及び隣接するティース部の各スロット側面部を覆うと共に、積層方向の一端部側にティース部の積層方向一端面に係合し得るかえし部を有し、積層方向の他端部側に係合部を有するフィルム状の第１の絶縁成形体と、ティース部の積層方向他端面を絶縁すると共に、上記第１の絶縁成形体の係合部と係合し、絶縁樹脂の成形品である第２の絶縁成形体とを有し、上記ティース部の上記積層方向一端面は露出し、上記かえし部と上記第２の絶縁成形体に巻装された上記巻線と上記ティース部の積層方向一端面の間に間隙が形成されていることを特徴とする回転電機。
【００１５】
また、第２の絶縁成形体の何れか一方に巻線を係止し得る係止部を備えたことを特徴とするものである。
【００１６】
さらにこの発明の密閉型圧縮機は、上記何れかに記載の回転電機を電動機として圧縮機の駆動用に搭載したものである。
【００１７】
【発明の実施の形態】
実施の形態１．
図１ないし図４は本発明の実施の形態１になる回転電機としての電動機の要部を示すもので、図１は固定子鉄心のティース部の絶縁構成を模式的に示す断面端面図、図２は図１に示す第１の絶縁成形体の構造を示す図であり、図２（ａ）は平面図、図２（ｂ）は正面図、図２（ｃ）は左側面図、図２（ｄ）は右側面図、図２（ｅ）は背面図である。図３は固定子鉄心の形状と巻線後の状態を示す平面図、図４は巻線後の固定子を示す側面図である。なお、図１は図３に示す固定子鉄心のティース部２に絶縁部材１２を装着後のＩ−Ｉ矢視断面端面図に相当し、また、図１の絶縁成形体１３は図２（ａ）、図２（ｃ）のＩ−Ｉ矢視断面端面図に相当している。また、図５はこの実施例の電動機を冷凍サイクルの駆動源として用いた場合の例としての密閉型回転式圧縮機を示す要部断面図である。
【００１８】
図において、２は固定子を構成する鉄心１のティース部であり、鉄心１に円周方向に等間隔で、かつ放射状に内側に複数突出して形成され、薄い電磁鋼板からなる鉄板を積層して作られている。１１は固定子であり、複数のティース部２とティース部２、２相互の間隙であるスロット１０を有する鉄心１と、ティース部２に絶縁部材１２を介して巻装された巻線４と、電源供給線であるリード線４ａによって構成されている。なお、２ａはティース部２の積層方向の一端面であり、図３における表面側に形成され、２ｂはティース部２の積層方向の他端面であり、図３の背面側に形成されている。１０ａはティース部２によって形成されているスロット壁面部、１０ｂはスロット底部である。
【００１９】
１２は絶縁部材であり、ティース部２の積層方向の一端面２ａ、及びこの一端面２ａから連なる両側のスロット壁面部１０ａ、１０ａ全長に跨って該ティース部２を覆うように形成されたティース部断面略コ字状の第１の絶縁成形体１３と、上記ティース部２の積層方向他端面２ｂを覆うように配設され、端部が上記第１の絶縁成形体１３の開口部１３ａに係合するティース部断面略Ｉ字状の第２の絶縁成形体１４とからなっている。第１の絶縁成形体１３はティース部２の積層方向の一端面２ａ側から装着されてティース部２の一端面２ａと両側面のスロット壁面部１０ａ全長を絶縁する。第２の絶縁成形体１４は図１の下側から装着され、係合部１４ａを第１の絶縁成形体１３の開口部１３ａに嵌合させることにより、ティース部２の他端面２ｂを覆い、第１の絶縁成形体１３と協働してティース部２の周囲全体を電気的に絶縁する。なお、図２中に示す１３ｔは鉄心１のティース部２が挿入される部分である。
【００２０】
図２〜図４に示される１３０は第１の絶縁成形体１３と一体的に成形された係止部であり、この係止部１３０には、渡り線４ｂを周方向に這わせるための平行に設けられた複数の周方向溝１３０ａ、巻線の端部を巻き付けることにより巻装した巻線が緩むことを防止する鍵状突起部１３０ｂ、リード線４ａ固定用の貫通穴１３０ｃ、突起部１３０ｄ、貫通穴１３０ｃに通じる溝部１３０ｅ、渡り線４ｂを任意の周方向溝１３０ａに導くための軸方向溝１３０ｆなどが形設されている。なお、渡り線４ｂは巻線４と電気的な接続点（図示省略）までの間の引回し線であり、間隔を空けて平行に設けられた周方向溝１３０ａに沿って独立に這わせることができるために、渡り線４ｂが複数隣接したときに相互の絶縁距離を確保できる。また、貫通穴１３０ｃ及び溝部１３０ｅは、巻線端部と電気的に接続されたリード線４ａを固定するための固定手段としての糸１５を通すために用いられる。
【００２１】
上記係止部１３０はスロット底部１０ｂよりも外径側に設けられているが、それぞれの最外周は図３及び図４に示すように鉄心１の外径よりも小さくなるように形成されている。また、第２の絶縁成形体１４にも必要により係止部１４０が一体的に設けられ、巻線時に一時的に巻線端部を保持し得る鍵状突起部１４０ｂ、複数の巻線端部をカシメた金属端子を挿入して電気的な接続部をなし得る軸方向溝１４０ｆなどが形成されている。上記ティース部断面略コ字状の第１の絶縁成形体１３、ティース部断面略Ｉ字状の第２の絶縁成形体１４は、共にＰＰＳ（ポリフェニレンサルファイド）、ＰＢＴ（ポリブチレンテレフタレート）、ＬＣＰ（リキッドクリスタラインポリマー：液晶ポリマー）等の絶縁樹脂の成形品が好ましく用いられるが、もとよりこれら絶縁材料のみに限定されるものではない。また、図５において、１７はシェル１６の中に固定された電動機であり、上記のように構成された固定子１１、回転子７、及びこの回転子７を一体的に固着している回転軸５からなっている。１８は冷媒ガスを圧縮する圧縮要素部であり、回転軸５によって駆動される。なお、その他の符号については各図を通じて、同一、もしくは相当部分に同一符号を付しているので説明を省略する。
【００２２】
この実施の形態１による電動機は上記のように構成され、組立時、巻線を始める前に、ティース部２に断面コ字状の第１の絶縁成形体１３を装着し、コ字状の開口部１３ａに断面Ｉ字状の第２の絶縁成形体１４が装着される。第１の絶縁成形体１３及び第２の絶縁成形体１４には薄肉部が存在しないので、輸送、組立、その他ハンドリング時に割れや欠けが生じることがなく、ティース部２への取り付けも容易である。このようにしてティース部２を電気的に絶縁した後、巻線４が順次巻装される。巻装後の巻線端部は鍵状突起部１３０ｂに一時的に巻き付けることで次行程まで巻線４が緩まないように保持できる。巻線の端部は渡り線４ｂとして周方向溝１３０ａを這わせ、別のティース部に巻装された巻線の端部と電気的に接続されて中性点（図示省略）となったり、リード線４ａと電気的に接続される。
【００２３】
また、周方向溝１３０ａは周方向に平行に複数設けているため、巻線端部をそれぞれ独立して中性点やリード線接続部へ誘導することが可能である。この時に、渡り線４ｂを固定するための手段を別途必要としないので安価で、結線の作業性がよく、結線作業の自動化も可能である。また、リード線４ａは貫通穴１３０ｃを通した固定手段としての糸１５によって固定される。さらに周方向溝１３０ａ、鍵状突起部１３０ｂ、貫通穴１３０ｃ等を有する係止部１３０の最外周は鉄心１の外周よりも小さくなるように形成されているので、例えば図５のような空調機用圧縮機のように固定子１１を筒状のシェル１６内に焼嵌め固定することができる。
【００２４】
なお、この例においては、第１の絶縁成形体１３の開口部１３ａの間隔は装着作業性が失われない範囲でティース部２の寸法より狭くすることで、装着後も容易に外れることがないため、工作性をよくすることもできる。
【００２５】
なお、上記実施の形態１では周方向溝１３０ａ、鍵状突起部１３０ｂ、貫通穴１３０ｃ等を有する係止部１３０を第１の絶縁成形体１３に一体的に設けた場合について説明したが、該係止部１３０は第２の絶縁成形体１４の方に設けても同様の効果が得られる。
【００２６】
実施の形態２．
図６はこの発明の実施の形態２になる回転電機のティース部における絶縁部材を模式的に示す断面端面図である。図において、１３は上記実施の形態１と同様のティース部断面略コ字状の第１の絶縁成形体であるが、開口部１３ａの位置がティース部２の他端面２ｂの位置と略同一の位置となるように形成されている。そして、第２の絶縁成形体１４の第１の絶縁成形体１３に対する係合部１４ａは、実施の形態１では鍵状に形成されているのに対し、直線状に形成されている。上記第１の絶縁成形体１３と第２の絶縁成形体１４の突き合わせ面や係合部分の角部１３ｃ、１４ｂは、図示しない巻線の傷つき防止のために段差をなくすことは当然であるが、さらにはそれぞれ曲面に形成されている。その他の構成は上記実施の形態１の例と同様である。
【００２７】
上記のように、実施の形態２によれば、ティース部断面略コ字状の第１の絶縁成形体１３の各角部１３ｃと、ティース部断面略Ｉ字状の第２の絶縁成形体１４の各角部１４ｂを曲面にすることで、突き合わせ箇所や嵌合箇所がなだらかに繋がり、寸法がばらついて多少の段差ができてしまっても巻線が傷つきにくくなるという利点が得られる。また、上記のように第１の絶縁成形体１３と第２の絶縁成形体１４を突き合わせるようにした場合においても、実施の形態１と同様、割れや欠けによる絶縁耐力の低下や品質低下のない回転電機を提供できる効果がある。
【００２８】
なお、図６に示す例では第２の絶縁成形体１４の幅をティース部２の幅よりも第１の絶縁成形体１３の厚さの約２倍に相当する分だけ長く形成したが、これに限定されず、例えば第２の絶縁成形体１４の幅をティース部２の幅と略等しく形成し、コ字状の第１の絶縁成形体１３のティース部積層方向の長さを第２の絶縁成形体１４の厚さ分だけ長く形成し、係合部１４ａがスロット壁面部、即ちティース部側面の延長線上に形成されるようにしても差し支えない。
【００２９】
実施の形態３．
図７はこの発明の実施の形態３になる回転電機に用いるティース部断面略コ字状の第１の絶縁成形体とその成形方法を説明するもので、図７（ａ）はコ字状の開口端部に向う部分、即ちスロット壁面部に当接する部分の断面形状をテーパ状にした第１の絶縁成形体の成形寸法を模式的に説明する断面端面図、図７（ｂ）は開口部の幅を単純に広げて成形すると仮定した場合の問題を説明する要部断面図、図７（ｃ）は図７（ａ）の絶縁成形体を成形する場合の成形型を示す要部断面図である。図において、１３はスロット壁面部に当接する部分の断面形状をテーパ状にしたティース部断面略コ字状の第１の絶縁成形体、２０は上型、２１は下型である。
【００３０】
この実施の形態３においては、第１の絶縁成形体１３のスロット壁面部に当接する部分の厚さを、開口底部１３ｂ付近でｔ１、開口部１３ａ付近でｔ２としたときに、ｔ１＞ｔ２、の関係が成立し、かつ開口方向のテーパ角度αが、α＞０、となる寸法に下型２１が形成されている。また、下型２１は、第１の絶縁成形体１３の開口底部１３ｂにおける間隔をＬ１、開口部１３ａの間隔をＬ２としたときに、Ｌ１＜Ｌ２となるような寸法に形成されている。
【００３１】
通常、成型品は上型２０と下型２１との間隙に樹脂を流し込んで成形されるが、例えばＰＰＳ、ＰＢＴ、ＬＣＰ等の絶縁樹脂を用いた断面略コ字状の第１の絶縁成形体１３のような形状の成型品は、開放されている開口部１３ａの間隔である幅Ｌ２が型の設計値に対して狭くなる傾向がある。このために開口部１３ａの幅Ｌ２をティース部と同じ幅で設計した場合、成形品の開口部１３ａの幅Ｌ２がティース部２の幅よりもかなり狭くなってしまうことがあり、コ字状絶縁成形体１３のティース部２への装着作業性が悪くなる場合がある。
【００３２】
これを未然に防ぐために、開口部１３ａの幅Ｌ２は、成形後にティース部２の幅に相当するＬ１と等しくなるか、装着作業性に支承のない範囲でＬ１より若干小さくなるように縮小を見込んだ値に予め広くする必要があるが、図７（ｂ）のように開口部の幅をティース部の幅よりも単純に大きくすると、上型２０を外した後、コ字状の絶縁成形体１３を上から取り出そうとした時に、下型２１に引っかかって抜けなくなってしまう。しかし、上記図７（ａ）のように断面形状をテーパ状とすることで、図７（ｃ）のように開口部１３ａをティース部２の幅より大きく取った場合でも型２１の上下抜き方向に対してコ字状の外側を平行にすることができ、下型２１から抜きやすくティース部２への装着作業性の良い絶縁部材が得られる。
【００３３】
上記のように、実施の形態３によれば、断面略コ字状である第１の絶縁成形体のスロット壁面部を絶縁する部分の断面形状を、開口底部１３ｂから開口部１３ａに向けて細くなるようにテーパ状にし、開口部１３ａの幅Ｌ２を開口底部１３ｂにおける幅Ｌ１よりも予め広くした成形型を用いて成形したことにより、成形性の向上が図られ、成形後の開口部１３ａの幅がティース部２の幅と同一か、若干狭い所望の幅の装着作業性に優れた絶縁成形体を得ることができる。この他、実施の形態１と同様、絶縁部材の輸送や取扱による割れや欠けの心配がなく、これら絶縁成形体の厚さを最低限の絶縁距離を確保できる厚さとすることで、スロットの面積を広くすることができ、固定子巻線の占積率の高い高効率な回転電機を得ることができる。
【００３４】
実施の形態４．
図８はこの発明の実施の形態４に係る電動機の要部を示すもので、図８（ａ）はティース部に絶縁材を装着した状態を模式的に示す断面端面図、図８（ｂ）はティース部に絶縁材を装着するときの状況を模式的に説明する断面図である。図において２ｃはティース部２の側面、即ちスロット壁面部１０ａに設けられた凹部であり、この凹部２ｃはティース部２の端面２ａ、２ｂと平行に設けられている。１３は少なくもティース部２の積層方向一端面２ａと、この一端面２ａから連なる両側のスロット壁面部１０ａの凹部２ｃとに跨るように断面略コ字状に形成され、コ字状の開口端部が断面略クランク状に屈曲形成され、上記凹部２ｃに没入して係止される係合部１３ｄ、及びこの係合部１３ｄから上記凹部２ｃ内でティース部２の積層方向他端面２ｂ方向に延在するように形成され、スロットに面して形成された重合部１３ｅを有する第１の絶縁成形体である。１４は上記ティース部２の積層方向他端面２ｂ側からスロット壁面部１０ａの一方及び他方の凹部２ｃに跨るように断面略コ字状に形成され、コ字状の開口端部が上記第１の絶縁成形体１３の重合部１３ｅに重合する第２の絶縁成形体である。
【００３５】
上記第１の絶縁成形体１３と第２の絶縁成形体１４は、ともにＰＰＳ、ＰＢＴ、ＬＣＰ等の絶縁樹脂の成形品である。そして、上記実施の形態１と同様に渡り線などを係止するための係止部を備えており、巻線、組立後は図３、図４と同様の電動機を構成し、例えば図５と同様の密閉型圧縮機の電動機などとして好ましく用いることができるが、巻線後の構成、動作については上記実施の形態１と略同様であるので、図示及び説明を省略する。
【００３６】
図９は上記凹部２ｃの磁路に直角な面方向の断面積と電動機効率低下割合の計算結果との関係を表した特性図で、ティース部２のＩ−Ｉ線に沿う断面積に対する凹部２ｃの断面積が大きくなるほど電動機効率が低下することを示している。
【００３７】
この実施の形態４に係る電動機は上記のように構成され、第１の絶縁成形体１３はティース部２の一端面２ａ側より挿入し、クランク状の係合部１３ｄが凹部２ｃに嵌合するように装着することでティース部２に固定することができる。次に他端面２ｂ側より第２の絶縁成形体１４をティース部２に挿入し、重合部１３ｅの所で重なるように装着する。ティース部２の積層方向の厚みに偏差があったとしても、重合部１３ｅの重なり幅が変化することで吸収でき、ティース部２と図示しない固定子巻線は電気的に絶縁される。このようしてティース部２を電気的に絶縁した後、固定子巻線が巻装される。巻装後の巻線端部は、実施の形態１と同様に処理される。
【００３８】
次に、上記凹部２ｃについて説明する。凹部２ｃは磁路となるティース部２の側表面に設けられているために、凹部２ｃの磁路に直角な面方向の断面積を大きくしてしまうと磁束の乱れや局所的な磁束の集中を引き起こすために電動機効率が低下する。そのため、凹部２ｃの断面積は、ティース部２の断面積に対して２０％までの範囲内とすることが望ましい。この範囲内であれば、図９で示されているようにティース部２の断面積に対する凹部断面積の比率と電動機効率低下割合の関係が線形であり、電動機効率低下の割合も約２％以下に抑えることができる。
【００３９】
なお図８（ｂ）に示すように、係合部１３ｄの凹部２ｃに対する進入量（即ち突起幅）Ａは、例えば該凹部２ｃの深さＤと略同一寸法（Ａ＝Ｄ）に形成される。この場合、第１の絶縁成形体１３をティース部２に挿入する際にＡ寸法分だけ第１の絶縁成形体１３の係合部１３ｄを開くことになるので、断面略コ字状の屈曲部であるＢ部に応力がかかり、割れ、ひびの原因となる。これを未然に防ぐために、上記係合部１３ｄの凹部２ｃに対する進入量Ａ、及び第１の絶縁成形体１３の屈曲部であるＢ部から係合部１３ｄまでの長さＣの各寸法は、応力によるひびや割れが生じない適当な許容範囲内に設定される。
【００４０】
この場合、上記断面略コ字状の屈曲部であるＢ部から係合部１３ｄまでの長さＣを大きくすることで、装着時に係合部１３ｄを開く角度を小さくできるので、上記凹部２ｃの積層方向の位置は、中央部よりも他端面２ｂの側に寄せて設けるようにしても良い。
【００４１】
上記のように、この発明の実施の形態４によれば、ティース部２に固定される第１の絶縁成形体１３が容易に外れることがないため工作性が良く、しかもこれら第１の絶縁成形体１３及び第２の絶縁成形体１４には機械強度の弱い薄肉部が存在しないので、輸送中の割れや欠けの心配がなく、第１の絶縁成形体１３及び第２の絶縁成形体１４を絶縁距離を確保できる最低限の厚さとすることで、ティース部２の間隙であるスロットの面積を広くすることができ、巻線の占積率の高い高効率な電動機を得ることができる。また、図示を省略している渡り線や電源供給線であるリード線の固定などを行うための係止部を実施の形態１と同様、第１の絶縁成形体１３及び第２の絶縁成形体１４の任意の一方に一体的に設けることができるので、結線の作業性がよく、結線作業の自動化も可能である。さらに上記係止部の最外周を鉄心の外周よりも小さくしておけば、図５のような冷凍機用圧縮機のように固定子１１を筒状のシェル１６内に焼嵌め固定することができる。
【００４２】
なお、上記説明では、第１の絶縁成形体１３を係止するための凹部２ｃをティース部２の両側面に設けた例を示したが、一方の側面のみに設けた場合でも同様の効果が期待できる。この場合には、第１の絶縁成形体１３のティース部断面形状は例えば略Ｌ字型、あるいは「し」の字を下へ向う方向から右方向へ曲がる部分と、右へ向う方向から上方向に曲がる２つの角部で角張らせた形状にし、第２の絶縁成形体の断面形状は、第１の絶縁成形体と協働してティース部２の全周を包囲するように形成することにより、同様の絶縁構成を得ることができる。
【００４３】
実施の形態５．
図１０、図１１、及び図１２はこの発明の実施の形態５になる電動機の要部を示すもので、図１０（ａ）は固定子鉄心のティース部に絶縁材を装着した状態を示すティース部断面端面図、図１０（ｂ）はティース部の内径側表面図、図１１は図１０における第１の絶縁材を示す斜視図、図１２は巻線後の電動機固定子を示す側面図である。図において、１３は厚さが例えば０．１〜０．５ｍｍ程度で、例えばＰＥＴ（ポリエチレンテレフタレート）、ＰＥＮ（ポリエチレンナフタレート）、アラミッド紙等の絶縁フィルム等の薄葉材からなる第１の絶縁成形体であり、図１１に示すようにスロットと同形状に予め折曲成形されている。
【００４４】
１３ｆは第１の絶縁成形体１３の一端部に設けられたかえし部である。この第１の絶縁成形体１３を、ティース部２の一方の端面２ａ方向より図示しないスロット内に挿入したときに、上記かえし部１３ｆがティース部２の一端面２ａに当接することにより、第１の絶縁成形体１３がスロット内に係止される。なお、１３ｈはスロット底部に当接する部分、１３ｉはスロット壁面部に当接する部分、１３ｊは磁極部内側に当接する部分である。１４は薄葉材からなる第１の絶縁成形体１３を固定するための第２の絶縁成形体であり、例えばＰＰＳ、ＰＢＴ、ＬＣＰ等の絶縁樹脂の成形品で、隣接するスロットにそれぞれ装着された第１の絶縁成形体１３、１３の他端部の係合部１３ｇ、１３ｇ相互をティース部２との間にそれぞれ挟み込んで固定すると共に、ティース部２の他端面２ｂを絶縁している。
【００４５】
図１０（ｂ）に示すように、ティース部２の内径側の面には軸方向に複数の内周溝１ａが設けられている。また、図１２において、１４０は第２の絶縁成形体１４に一体的に設けられた係止部であり、この係止部１４０には渡り線４ｂを這わせるための複数の周方向溝１４０ａ、巻線時に一時的に巻線を係止するための鍵状突起部１４０ｂ、固定手段としての糸１５を挿通するための貫通穴１４０ｃ、この貫通穴１４０ｃを形成するための突起部１４０ｄなどが形設されている。なお、１ｂは鉄心１に軸方向に複数設けられている外周溝である。
【００４６】
この実施の形態５に係る電動機は上記のように構成され、薄葉材からなる第１の絶縁成形体１３はかえし部１３ｆにより、スロット１０から抜け落ちることなくスロット壁面部及びスロット底部を絶縁することができる。また、スロットの絶縁に樹脂成形の絶縁部材よりも薄い絶縁フィルム等の薄葉材を用いているために、スロットの面積を広くすることができ、巻線の占積率の高い高効率な電動機を得ることができる。なおこの実施例では、ティース部２の一端面２ａは露出しているが、かえし部１３ｆにより図示しない巻線との間に間隙が形成され、該間隙により鉄心１と巻線との間の電気的絶縁が確保されている。
【００４７】
また、第２の絶縁成形体１４には薄肉部がなく輸送中の割れや欠けの心配がない。第２の絶縁成形体１４は、内周側の固定用突起部１４ｃをティース部２の内周溝１ａに嵌合させ、外周側の固定用突起部１４ｄを鉄心１の外周溝１ｂに嵌合させることにより、ティース部の他端面２ｂに固定される。このようにしてティース部２を電気的に絶縁した後、図示しない固定子巻線が巻装される。巻装後の巻線端部を鍵状突起部１４０ｂに巻き付けることで次行程まで巻線が緩まないようにできる。巻線の端部は周方向溝１４０ａに這わせて、別の巻線端部と電気的に接続されて中性点となったり、リード線４ａと電気的に接続される。周方向溝１４０ａは周方向に平行に複数設けているため、巻線端部をそれぞれ独立して中性点へ誘導することが可能である。また、リード線４ａは固定用の貫通穴１４０ｃを通した固定手段としての糸１５によって緊縛される。
【００４８】
鉄心１に設けられた上記内周溝１ａおよび外周溝１ｂの長さは固定用突起部１４ｃ、１４ｄと同程度の短いものとしてもよいし、図１０（ａ）、図１２に示すように、鉄心１の幅（積層厚さ）全長としてもよい。鉄心１の幅全長とした場合、内周溝１ａはティース部２の内周部においてティース部２とスロット１０との磁気抵抗の差を緩和し、トルクリップルを低減するグルーブと同様の効果を得ることができる。また、外周溝１ｂは巻線の巻装時に鉄心固定爪（図示省略）の装着用の溝として利用することができる。さらに、周方向溝１４０ａ、鍵状突起部１４０ｂ、貫通穴１４０ｃ、突起部１４０ｄ等を有する係止部１４０の最外周を鉄心１の外周よりも小さくしておくことにより、図５に例示した空調機用の圧縮機のように固定子１１を筒状のシェルに焼き嵌め固定することができる。
【００４９】
さらに、内周溝１ａと外周溝１ｂの幅を固定用突起部１４ｃ、または１４ｄよりも広くした上で、この電動機を冷凍機等の冷媒用圧縮機に適用した場合には、内周溝１ａおよび外周溝１ｂを冷媒ガスの流路とすることができ、鉄心１の磁束密度の高い所に冷媒ガス流路用の貫通穴を設けずにすむので、電動機効率の低下を防ぐことができる。さらに、巻線を固定処理する際には、係止部１４０に設けた平行に存在する複数の周方向溝１４０ａを使って渡り線４ｂを這わせることができるために、渡り線４ｂを固定するための手段を別途必要としないので安価で結線の作業性がよく、結線作業の自動化も可能である。
【００５０】
なお、上記実施の形態５の説明では、第２の絶縁成形体１４と第１の絶縁成形体１３を係合させるに際し、図１０（ａ）では、第１の絶縁成形体１３の係合部１３ｇを第２の絶縁成形体１４で挟み込んでティース部２に固定したが、これに限定されるものではなく、例えば第２の絶縁成形体１４と第１の絶縁成形体１３を溶着したり、さらには、巻線を巻装している間のみ第１の絶縁成形体１３が動かないようにしておけば、係合部１３ｇ端面が固定されていなくても同様の効果が得られる。また、第２の絶縁成形体１４を鉄心１に固定する場合も内周溝１ａおよび外周溝１ｂに限らず鉄心１の端面に凹部（図示せず）を設けて固定用突起部１４ｃをその凹部に嵌合して固定したり、さらには接着剤を用いて固定してもよい。
【００５１】
ところで上記各実施の形態の説明では、ティース部２が鉄心１に円周方向に等間隔で、かつ放射状に内側に複数突出している場合について説明したが、鉄心１の形状としてはティース部２が、円周方向に不等間隔であっても、放射状外側であってもよい。また、例示した絶縁材料は、好ましく用いられる材料の一例を示したものに過ぎない。さらに、回転子が固定子の外側を回転するもの、巻線を巻回してなるティース部が回転子として構成されたものなどでも同様の効果が得られる。さらにまた、便宜上電動機を主体に説明したが、発電機であっても同様の効果が得られることは勿論であり、さらに、用途も特に密閉型圧縮機の駆動用に限定されないことは当然である。
【００５２】
【発明の効果】
【００５３】
以上説明したようにこの発明によれば、スロット壁面部の少なくとも一方に凹部を設け、絶縁部材として、少なくともティース部の積層方向一端面及びこの一端面から連なる上記スロット壁面部の凹部に跨るように形成され、上記凹部側の端部に、該凹部に進入して係止される断面略クランク状に屈曲形成された係合部及びこの係合部から上記凹部内をティース部の積層方向他端面方向に延在し、スロットに面して形成された重合部を有する第１の絶縁成形体と、上記ティース部の積層方向他端面側に配設され、該他端面とこの他端面から連なる上記スロット壁面部の凹部に跨るように形成され、この凹部側の端部が上記第１の絶縁成形体の重合部に重合する第２の絶縁成形体とを用いて構成したことにより、絶縁部材の取扱が容易で、加工性も優れた回転電機を提供できる効果がある。
【００５４】
さらに、絶縁部材として、スロット底部及び隣接するティース部の各スロット壁面部を覆うと共に、積層方向の一端部側にティース部の積層方向一端面に係合し得るかえし部を有し、積層方向の他端部側に係合部を有する薄葉材からなる第１の絶縁成形体と、ティース部の積層方向他端面を絶縁すると共に、上記第１の絶縁成形体の係合部と係合する第２の絶縁成形体とを用いて構成し、上記ティース部の上記積層方向一端面は露出し、上記巻線は上記かえし部と上記第２の絶縁成形体に巻装されて、上記ティース部の積層方向一端面の間に間隙が形成されるようにしたことにより、絶縁部材の取扱が容易で、加工性も優れた回転電機を提供できる効果がある。
【図面の簡単な説明】
【図１】この発明の実施の形態１による電動機固定子鉄心のティース部の絶縁構成を模式的に示す断面端面図。
【図２】図１に示す第１の絶縁成形体の構造を示す図。
【図３】この発明の実施の形態１による電動機固定子鉄心の形状と巻線後の状態を示す平面図。
【図４】図３の固定子の巻線後の状態を示す側面図。
【図５】この発明の実施の形態１による電動機を冷凍サイクルの駆動源として用いた場合の例としての密閉型回転式圧縮機を示す要部断面図。
【図６】この発明の実施の形態２になる電動機のティース部における絶縁部材を模式的に示す断面端面図。
【図７】この発明の実施の形態３になる回転電機に用いる断面コ字状の第１の絶縁成形体とその成形方法を説明する図。
【図８】この発明の実施の形態４に係る電動機の要部を示す断面端面図。
【図９】図８に示す実施の形態の凹部２ａの断面積と電動機効率低下割合の計算結果との関係を表した特性図。
【図１０】この発明の実施の形態５になる電動機の要部を示す図。
【図１１】図１０における第１の絶縁材を示す斜視図。
【図１２】図１０の固定子ティース部に巻線後の電動機固定子を示す側面図。
【図１３】従来の電動機を示す部分断面側面図。
【図１４】従来の電動機のティース部に用いられている絶縁部材を示す側断面図。
【図１５】従来の電動機固定子の他の絶縁構造例を示す構成図。
【符号の説明】
１  鉄心、
２  ティース部、
２ａ  一端面、
２ｂ  他端面、
２ｃ  凹部、
４  巻線、
４ａ  リード線、
４ｂ  渡り線、
５  回転軸、
１０  スロット、
１０ａ  スロット壁面部、
１０ｂ  スロット底部、
１１  固定子、
１２  絶縁部材、
１３  第１の絶縁成形体、
１３ａ  開口部、
１３ｂ  開口底部、
１３ｃ  角部、
１３ｄ  係合部、
１３ｅ  重合部、
１３ｆ  かえし部、
１３ｇ  係合部、
１３０  係止部、
１４  第２の絶縁成形体、
１４ａ  係合部、
１４ｂ  角部、
１４ｃ、１４ｄ  固定用突起部、
１４０  係止部、
１５  固定手段（糸）
【図１】
0004876332.tif 000002
【図２】
0004876332.tif 000003
【図３】
0004876332.tif 000004
【図４】
0004876332.tif 000005
【図５】
0004876332.tif 000006
【図６】
0004876332.tif 000007
【図７】
0004876332.tif 000008
【図８】
0004876332.tif 000009
【図９】
0004876332.tif 000010
【図１０】
0004876332.tif 000011
【図１１】
0004876332.tif 000012
【図１２】
0004876332.tif 000013
【図１３】
0004876332.tif 000014
【図１４】
0004876332.tif 000015
【図１５】
0004876332.tif 000016